(57)【特許請求の範囲】
【請求項１】
浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、通気路を構成する片のうちで遮蔽ユニットに設けてあるものは浴室側垂下片のみであることを特徴とする浴室戸。
【請求項２】
浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで操作部の突起がサイドプレートを越えて竪框側に係脱し、遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、サイドプレートは横材の内部に挿入する突部を有し、突部に形成した左右方向の長孔に操作部がガイドされていることを特徴とする浴室戸。
【請求項３】
浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで操作部の突起がサイドプレートを越えて竪框側に係脱し、遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、下側下框材の立上げ片が遮蔽ユニットの横材よりも上方までのび、浴室側垂下片の脱衣室側に重なっていることを特徴とする浴室戸。
【請求項４】
浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで操作部の突起がサイドプレートを越えて竪框側に係脱し、遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、操作部がサイドプレートに形成した突起にガイドされて左右にスライド可能としてあることを特徴とする浴室戸。
【請求項５】
浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで操作部の突起がサイドプレートを越えて竪框側に係脱し、遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、遮蔽ユニットの横材に立上げ片を有し、横材の立上げ片が浴室側垂下片の脱衣室側に重なっていることを特徴とする浴室戸。
【請求項６】
浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、通気路を構成する片のうちで遮蔽ユニットに設けてあるものは浴室側垂下片のみであり、遮蔽ユニットを取り外したときに、浴室側垂下片を分離できることを特徴とする浴室戸。
【請求項７】
浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材と、横材の脱衣室側に設けた立上げ片を有し、浴室側から操作可能な操作部を操作することで遮蔽ユニットを浴室側に着脱自在としてあると共に、浴室側垂下片の下方に浴室側開口部を形成し、上垂下片の脱衣室側に脱衣室側開口部を形成し、浴室側開口部と脱衣室側開口部間に通気路を形成してあり、浴室側垂下片が遮蔽ユニットから分離可能であることを特徴とする浴室戸。
【発明の詳細な説明】
【技術分野】
【０００１】
本発明は、下部に換気用のガラリを備えた浴室戸に関する。
【背景技術】
【０００２】
従来の浴室戸においては、換気のために下部にガラリを設けたものがある。浴室戸の換気ガラリはカビや湯垢等で汚れやすく、簡単にガラリ内部を掃除できる構造が求められている。
特許文献１には、浴室側に上垂下片を有する上側下框構成材と、脱衣室側に下立上げ片を有する下側下框構成材と、上側下框構成材と下側下框構成材の間に配置したクランク状の中間下框構成材とでガラリ部が構成され、上垂下片を可動式にして換気通路を浴室側に開放し得るようにしたもの、下立上げ片を可動式にして換気通路を脱衣室側に開放し得るようにしたもの、中間下框構成材を可動式にしたものが開示されている。しかしこの浴室戸は、上垂下片と下立上げ片と中間下框構成材のうちの何れかを可動させられるだけで、これを可動させても浴室側から掃除しづらい部分が残り、例えば中間下框構成材を可動させた場合には、上垂下片の脱衣室側の面は浴室側からは掃除しづらい。
【先行技術文献】
【特許文献】
【０００３】
【特許文献１】特許第４０１７５６９号公報
【発明の概要】
【発明が解決しようとする課題】
【０００４】
本発明は以上に述べた実情に鑑み、ガラリの掃除が簡単に行える浴室戸の提供を目的とする。
【課題を解決するための手段】
【０００５】
上記の課題を達成するために請求項１記載の発明による浴室戸は、浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、通気路を構成する片のうちで遮蔽ユニットに設けてあるものは浴室側垂下片のみであることを特徴とする。
【０００６】
請求項２記載の発明による浴室戸は、浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで操作部の突起がサイドプレートを越えて竪框側に係脱し、遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、サイドプレートは横材の内部に挿入する突部を有し、突部に形成した左右方向の長孔に操作部がガイドされていることを特徴とする。
【０００７】
請求項３記載の発明による浴室戸は、浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで操作部の突起がサイドプレートを越えて竪框側に係脱し、遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、下側下框材の立上げ片が遮蔽ユニットの横材よりも上方までのび、浴室側垂下片の脱衣室側に重なっていることを特徴とする。
【０００８】
請求項４記載の発明による浴室戸は、浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで操作部の突起がサイドプレートを越えて竪框側に係脱し、遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、操作部がサイドプレートに形成した突起にガイドされて左右にスライド可能としてあることを特徴とする。
【０００９】
請求項５記載の発明による浴室戸は、浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで操作部の突起がサイドプレートを越えて竪框側に係脱し、遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、遮蔽ユニットの横材に立上げ片を有し、横材の立上げ片が浴室側垂下片の脱衣室側に重なっていることを特徴とする。
【００１０】
請求項６記載の発明による浴室戸は、浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材とを有し、浴室側から操作可能な操作部を操作することで遮蔽ユニットを浴室側に着脱自在とすると共に、浴室側垂下片の下方に浴室側開口部を形成し、上垂下片の脱衣室側に脱衣室側開口部を形成し、浴室側開口部と脱衣室側開口部間に通気路を形成してあり、通気路を構成する片のうちで遮蔽ユニットに設けてあるものは浴室側垂下片のみであり、遮蔽ユニットを取り外したときに、浴室側垂下片を分離できることを特徴とする。
【００１１】
請求項７記載の発明による浴室戸は、浴室側に上垂下片を有する上側下框材と、脱衣室側に立上げ片を有する下側下框材と、上側下框材と下側下框材の間に設けた遮蔽ユニットとを備え、遮蔽ユニットは、左右のサイドプレートと、サイドプレート間に上側下框材の上垂下片と連続するように設けた浴室側垂下片と、サイドプレート間の下部に設けた横材と、横材の脱衣室側に設けた立上げ片を有し、浴室側から操作可能な操作部を操作することで遮蔽ユニットを浴室側に着脱自在としてあると共に、浴室側垂下片の下方に浴室側開口部を形成し、上垂下片の脱衣室側に脱衣室側開口部を形成し、浴室側開口部と脱衣室側開口部間に通気路を形成してあり、浴室側垂下片が遮蔽ユニットから分離可能であることを特徴とする。
【発明の効果】
【００１２】
請求項１記載の発明による浴室戸は、浴室側から操作部を操作して遮蔽ユニットを簡単に着脱でき、遮蔽ユニットを取り外すだけで通気路の全面を浴室側で露出させられるので、ガラリの掃除が簡単に行える。遮蔽ユニットは、左右のサイドプレート間に浴室側垂下片と横材を設けたシンプルな構造のため、掃除がしやすい。遮蔽ユニットは、上側下框材の上垂下片と下側下框材の立上げ片とで見込み方向位置が規制され、且つ操作部の突起が竪框側に係合することで、安定して取付けできる。
【００１３】
請求項２記載の発明による浴室戸は、サイドプレートの突部を横材の内部に挿入することで遮蔽ユニットの組立てが容易に行える。また、サイドプレートの突部に形成した左右方向の長孔に操作部をガイドすることで、遮蔽ユニットの着脱操作が安定して行える。さらに、操作部のガイド部が外部に露出しないので、意匠性もよい。
【００１４】
請求項３記載の発明による浴室戸は、下側下框材の立上げ片が遮蔽ユニットの横材よりも上方までのび、浴室側垂下片の脱衣室側に重なっていることで、シャワーの水等を浴室側垂下片と立上げ片とで確実に遮断でき、遮蔽ユニットを取り外すことで浴室側垂下片と立上げ片とが分離するため、浴室側垂下片と立上げ片の内側面の掃除が容易に行える。
【００１５】
請求項４記載の発明による浴室戸は、操作部をサイドプレートに形成した突起にガイドして左右にスライド可能としたので、操作部をサイドプレートに容易に組み付けでき、遮蔽ユニットの着脱操作も安定して行える。
【００１６】
請求項５記載の発明による浴室戸は、遮蔽ユニットの横材に立上げ片を有し、横材の立上げ片が浴室側垂下片の脱衣室側に重なるようにしたので、シャワーの水等を浴室側垂下片と横材の立上げ片とで確実に遮断できる。下側下框材の立上げ片は換気通路とは無関係になるので、下側下框材の立上げ片を短くできる。
【００１７】
請求項６記載の発明による浴室戸は、遮蔽ユニットを取り外すだけで通気路の全面を浴室側で露出させられ、尚且つ遮蔽ユニットを取り外したときに浴室側垂下片を分離できるため、遮蔽ユニットの掃除が一層容易になる。
【００１８】
請求項７記載の発明による浴室戸は、浴室側から操作部を操作して遮蔽ユニットを簡単に着脱でき、さらに浴室側垂下片を遮蔽ユニットから取外すことで、通気路の全面を露出させられるので、ガラリの内部を隅々まで容易に掃除することができる。
【図面の簡単な説明】
【００１９】
【図１】図３のＡ−Ａ断面図である。
【図２】第１実施形態の浴室戸の遮蔽ユニットの分解斜視図である。
【図３】第１実施形態の浴室戸の下部を拡大して示す浴室側正面図である。
【図４】図３のＢ−Ｂ断面図である。
【図５】図３のＣ−Ｃ断面図である。
【図６】本発明の浴室戸の第１実施形態を示す浴室側正面図である。
【図７】図３のＣ−Ｃ断面図であって、遮蔽ユニットを取外すときの状態を示す。
【図８】遮蔽ユニットを着脱するときの状態を示す浴室戸下部の縦断面図である。
【図９】第１実施形態の浴室戸の遮蔽ユニットの変形例を示す縦断面図である。
【図１０】図９に示す遮蔽ユニットを浴室戸から取外した上で、その浴室側垂下片を分離した状態を示す縦断面図である。
【図１１】第１実施形態の浴室戸の他の変形例を示す横断面図である。
【図１２】本発明の浴室戸の第２実施形態を示す縦断面図である。
【図１３】第２実施形態の浴室戸の遮蔽ユニットの分解斜視図である。
【図１４】同遮蔽ユニットを浴室戸から取外した上で、その浴室側垂下片を分離した状態を示す縦断面図である。
【発明を実施するための形態】
【００２０】
以下、本発明の実施の形態を図面に基づいて説明する。図１〜６は、本発明の浴室戸の第１実施形態を示している。本浴室戸は、図６に示すように、ドア枠１８と、ドア枠１８に上下のピボットヒンジ１９ａ，１９ｂにより支持された浴室戸本体２０とで構成され、浴室戸本体２０は浴室側に回動して開くようになっている。浴室戸本体２０は、アルミニウム合金の押出形材で形成した上框２１と下框２２と戸先框１１と吊元框１２とを框組みし、この框体に樹脂製のパネル２３を組み込んで構成してあり、下框２２の部分に換気用のガラリ２４を備えている。
【００２１】
下框２２は、図１に示すように、上側下框材１と、その下方に間隔をおいて設けた下側下框材３と、上側下框材１と下側下框材３との間に設けた遮蔽ユニット５とで構成されている。遮蔽ユニット５は、図８に示すように、浴室側に着脱できるようになっている。
上側下框材１は、図１に示すように、上面にパネル嵌め込み溝２５を有し、パネル嵌め込み溝２５内にパネル２３の下縁部をグレチャン２６を介して保持している。上側下框材１の浴室側面には、短い上垂下片２を有している。
下側下框材３は、上面が脱衣室側が高くなるように略階段状に形成されており、脱衣室側面に上方に高く立ち上がる立上げ片４を有しており、上側下框材１と立上げ片４との間に脱衣室側開口部２７を形成している。脱衣室側開口部２７は、上垂下片２の脱衣室側に位置している。
【００２２】
戸先框１１と吊元框１２は、図４に示すように、内周側に開口したパネル嵌め込み溝１７を有し、パネル嵌め込み溝１７内にパネル２３の側縁部をグレチャン２６を介して保持している。上側下框材１から下の部分では、図５に示すように、パネル嵌め込み溝１７の開口縁部が切除され、パネル嵌め込み溝１７内に樹脂製の縁部材２８を設けている。縁部材２８は、図３，５に示すように、上側下框材１及び下側下框材３の小口とパネル嵌め込み溝１７の底面間に挟み込むようにして取付けてある。縁部材２８は、下側下框材３の立上げ片４の左右両側の縁部の脱衣室側を被うカバー片２９を有している。さらに縁部材２８は、後述するツマミ９の突起１０が係合する受け孔３０を有している。
【００２３】
遮蔽ユニット５は、図１〜３に示すように、左右のサイドプレート６，６と、サイドプレート６，６間の上部に設けた浴室側垂下片７と、サイドプレート６，６間の下部に設けた横材８とを有している。左右のサイドプレート６，６は樹脂製で、浴室側垂下片７と横材８はアルミニウム合金の押出形材で形成してある。浴室側垂下片７は、上部にタッピングホール３１を有しており、サイドプレート６に形成した溝３２に両側の縁部が保持されると共に、タッピングホール３１に螺入するネジ３３でサイドプレート６に固定してある。浴室側垂下片７は、図１に示すように、上側下框材１の上垂下片２の下端より連続して垂下するように配置され、浴室側垂下片７と下側下框材３の立上げ片４とが見込み方向に重なっている。
横材８は中空材となっており、中空部内の下部にタッピングホール３４を有しており、サイドプレート６に形成した突部１３を横材８の中空部内に挿入し、且つタッピングホール３４に螺入するネジ３５でサイドプレート６に固定してある。横材８の上面は、脱衣室側が高くなるように傾斜しており、脱衣室側の端部が下側下框材３の立上げ片４に当接している。横材８は、下側下框材３の上面に載置され、下側下框材３の立上げ片４が横材８よりも上方まで立ち上がっている。浴室側垂下片７の下方の横材８との間に浴室側開口部３６が形成され、この浴室側開口部３６と脱衣室側開口部２７間に浴室側と脱衣室側とに連通する通気路４２がクランク状に形成されている。
【００２４】
横材８上の左右両端部の位置には、遮蔽ユニット５の着脱用のツマミ９，９が設けてある。ツマミ９は、図２に示すように、下面に下向き突部３７を有し、サイドプレート６の突部１３と横材８の上面に形成した左右方向の長孔１４に下向き突部３７を係合し、左右方向にスライド可能に設けてある。下向き突部３７には、抜け止め用の爪３８が設けてある。また、ツマミ９の竪框（戸先框，吊元框）１１，１２側の面には突起１０が設けてあり、この突起１０は図５に示すようにサイドプレート６の孔４３を貫通し、竪框１１，１２のパネル嵌め込み溝１７内に設けた縁部材２８の受け孔３０に係合している。
【００２５】
ガラリ２４の内部を掃除する際には、図７に示すように、浴室側からツマミ９，９を竪框１１，１２から離れる方向にスライド操作し、するとツマミ９，９の突起１０，１０が受け孔３０，３０から抜けるので、その後、図８に示すように、下部側を手前に回動させながら斜め下方に引き出すようにして、遮蔽ユニット５を浴室側に簡単に取外すことができる。このように遮蔽ユニット５を取外すことで、ガラリ２４の内部、即ち浴室側垂下片７の脱衣室側の面や、横材８の上面、下側下框材３の立上げ片４の浴室側面、上側下框材１の上垂下片２の脱衣室側の面まで、容易に掃除することができる。
遮蔽ユニット５を取付ける際は、浴室側から遮蔽ユニット５を脱衣室側に倒しつつ遮蔽ユニット５の上部を上側下框材１の上垂下片２の脱衣室側に差し入れ、遮蔽ユニット５の横材８を下側下框材３上に載置することで、遮蔽ユニット５を仮置きする。このとき、上側下框材１の上垂下片２と下側下框材３の立上げ片４とで遮蔽ユニット５の見込み方向位置が規制される。その後、左右のツマミ９，９を竪框１１，１２側にスライドさせてツマミの突起１０，１０を竪框１１，１２の受け孔３０，３０に係合することで、遮蔽ユニット５が固定される。このように、遮蔽ユニット５を仮置きしてからツマミ９を操作して固定するため、遮蔽ユニット５の取付けも簡単に行うことができる。
【００２６】
以上に述べたように本浴室戸は、浴室側からのツマミ９の操作により遮蔽ユニット５を浴室側に簡単に取外すことができ、遮蔽ユニット５を取外すことでガラリ２４の内部の掃除が隅々まで容易に行うことができる。こうして浴室掃除のついでに手早く掃除できるので、ガラリ２４がカビ等で汚れるのを防ぎ、常に清潔な状態に保つのが容易である。遮蔽ユニット５は、左右のサイドプレート６，６間に浴室側垂下片７と横材８を設けたシンプルな構造のため、掃除がしやすい。浴室側垂下片７と横材８とにタッピングホール３１，３４を設け、浴室側垂下片７と横材８をサイドプレート６にネジ３３，３５で固定したので、遮蔽ユニット５に堅牢性を持たせられる。また遮蔽ユニット５は、上側下框材１の上垂下片２と下側下框材３の立上げ片４とで見込み方向位置が規制され、且つツマミ９の突起１０が竪框１１，１２のパネル嵌め込み溝１７内に設けた縁部材２８の受け孔３０に係合することで、安定して取付けできる。サイドプレート６の突部１３を横材８の中空部内に挿入することで、遮蔽ユニット５の組立てが容易に行える。また、サイドプレート６の突部１３に形成した左右方向の長孔１４にツマミ９をガイドすることで、遮蔽ユニット５の着脱操作が安定して行える。さらに、ツマミ９のガイド部が外部に露出しないので、意匠性もよい。下側下框材３の立上げ片４が遮蔽ユニット５の横材８よりも上方までのび、浴室側垂下片７の脱衣室側に重なっていることで、シャワーの水等を浴室側垂下片７と立上げ片４とで確実に遮断でき、遮蔽ユニット５を取り外すことで浴室側垂下片７と立上げ片４とが分離するため、浴室側垂下片７と立上げ片４の内側面の掃除が容易に行える。また、上側下框材１の上垂下片２は短いため、上垂下片２の脱衣室側の面や上側下框材１の下面も浴室側から容易に掃除できる。ツマミ９の突起１０を竪框１１，１２のパネル嵌め込み溝１７内に係合することで、遮蔽ユニット５の取付けがパネル嵌め込み溝１７を利用して合理的に行える。さらに、竪框１１，１２のパネル嵌め込み溝１７内に設けた縁部材２８により、サイドプレート６と竪框１１，１２の間から脱衣室側に水が浸入するのを防止できる。
【００２７】
図９は、第１実施形態の浴室戸の変形例を示している。この例では、遮蔽ユニット５の浴室側垂下片７にタッピングホール３１が設けてなく、浴室側垂下片７は左右のサイドプレート６の溝３２に両側の縁部を上方から差し入れただけで保持してある。浴室側垂下片の上部７ａが脱衣室側に曲がっているため、浴室側垂下片７が下方に抜け落ちることはない。
このような構成とすると、遮蔽ユニット５を浴室戸から取外したときに、図１０に示すように、浴室側垂下片７を上方に抜き取り、遮蔽ユニット５と分離することができる。これにより掃除がより一層簡単に行え、浴室側垂下片７の交換も容易に行える。
【００２８】
図１１は、第１実施形態の浴室戸の他の変形例を示している。この例では、ツマミ９の突起１０が竪框１１，１２のパネル嵌め込み溝１７の開口縁部に直接係合するようにしている。
このように構成すれば、竪框１１，１２に別部材を設けたり、パネル嵌め込み溝１７を切り欠いたりすることなく遮蔽ユニット５を取付けでき、より一層の合理化が図られる。
【００２９】
図１２，１３は、本発明の浴室戸の第２実施形態を示している。本実施形態では、下側下框材３の立上げ片４を短くし、遮蔽ユニット５の横材８に浴室側垂下片７の脱衣室側に重なる立上げ片１６を設けている。横材８の脱衣室側面には、下側下框材３の立上げ片４に当接するタイト材３９を設けている。タイト材３９は、横材８の立上げ片１６と下側下框材３の立上げ片４とで隠れ、外部から見えないようになっている。横材８にはタッピングホール３４が下向きに開口して設けてあり、タッピングホール３４内に水やゴミ等が溜まらないようにしている。
左右のサイドプレート６，６間の上部には上横材４０がネジ４１で取付けてあり、浴室側垂下片７は両側の縁部をサイドプレート６の溝３２に上方から差し入れると共に、脱衣室側に曲がった上部７ａを上横材４０に係止させて取付けてある。
ツマミ９は、サイドプレート６に形成した突起１５をガイド孔４４に挿入することで、左右方向にスライド可能に取付けてある。ツマミ９の突起１０は、図３，５に示すように、竪框１１，１２のパネル嵌め込み溝１７内に設けた縁部材２８の受け孔３０に係合させてもよいし、図１１に示すように、竪框１１，１２のパネル嵌め込み溝１７に直接係合させてもよい。
【００３０】
上記第２実施形態の浴室戸は、第１実施形態のものと同様に、浴室側からのツマミ９の操作により遮蔽ユニット５を浴室側に簡単に取外すことができる。遮蔽ユニット５を取外すと、図１４に示すように、浴室側垂下片７を上方に抜き取り、遮蔽ユニット５と分離することができ、これによりガラリ２４の内部を隅々まで容易に掃除することができる。サイドプレート６，６間に上横材４０をネジ４１で固定して設けたので、上述のように浴室側垂下片７を簡単に分離できる構造としながら、遮蔽ユニット５の堅牢性を確保できる。遮蔽ユニット５の横材８に浴室側垂下片７の脱衣室側に重なる立上げ片１６を設けたので、遮蔽ユニット５だけで通気路４２が構成され、下側下框材３の立上げ片４は通気路４２とは無関係になるので、下側下框材３の立上げ片４を短くでき、下側下框材３の掃除が容易になる。また、下側下框材３の短い立上げ片４により、遮蔽ユニット５の下部側の位置を規制できると共に、下側下框材３と横材８の間から浸入した水を堰き止めることができる。さらに、横材８に下側下框材３の立上げ片４に当接するタイト材３９を設けたので、遮蔽ユニット５と下側下框材３の間からの水の浸入を確実に防止できる。ツマミ９をサイドプレート６の突起１５にガイドして設けたことで、ツマミ９をサイドプレート６に容易に組み付けることができ、横材８等にはツマミ９取付用の長孔等を設ける必要がないため、ツマミ９の取付部分の構造を簡略化できる。横材８は非中空材のため、横材８の浴室側から見た見付寸法をスリムにできる。
【００３１】
本発明は以上に述べた実施形態に限定されない。本発明の浴室戸は、開き戸に限らず折戸や引戸等とすることもできる。戸自体のデザインは任意である。操作部の形状や動かし方は適宜変更することができ、実施形態のような浴室側面に突部を有するツマミ９に限らず、例えば浴室側面に指を引っ掛けるための凹部を形成したもの等であってもよい。
【符号の説明】
【００３２】
１  上側下框材
２  上垂下片
３  下側下框材
４  立上げ片
５  遮蔽ユニット
６  サイドプレート
７  浴室側垂下片
８  横材
９  ツマミ（操作部）
１０  ツマミ（操作部）の突起
１１  戸先框（竪框）
１２  吊元框（竪框）
１３  サイドプレートの突部
１４  長孔
１５  サイドプレートの突起
１６  立上げ片
１７  竪框のパネル嵌め込み溝
２４  ガラリ
２７  脱衣室側開口部
３６  浴室側開口部
４２  通気路
【図１】
0005835935.tif 000002
【図２】
0005835935.tif 000003
【図３】
0005835935.tif 000004
【図４】
0005835935.tif 000005
【図５】
0005835935.tif 000006
【図６】
0005835935.tif 000007
【図７】
0005835935.tif 000008
【図８】
0005835935.tif 000009
【図９】
0005835935.tif 000010
【図１０】
0005835935.tif 000011
【図１１】
0005835935.tif 000012
【図１２】
0005835935.tif 000013
【図１３】
0005835935.tif 000014
【図１４】
0005835935.tif 000015